(57)【要約】【課題】表層材製品のシミュレーション画像と実物との間の見映えの違いを抑制する技術を提供する。【解決手段】画像生成システム１は、画像生成装置１０と表示装置４０とを含んで構成される。画像生成装置１０は、表層材製品の特性を用いて、表層材製品の画像データを処理する処理部１１０と、処理部１１０が処理した後の画像データを記憶する画像データ記憶部１２０と、を有する。表示装置４０は、第１の色域に基づく複数の第１の画素値で表現されている、表層材製品の画像データを記憶する画像データ記憶部４１０と、画像データを読み出して処理する処理部４２０と、処理部４２０によって処理された後の画像データをディスプレイに表示させる表示処理部４３０とを有する。処理部４２０は、表層材製品の実物との見映えの差を少なくするための処理を画像データに対して実行する。【選択図】図２
2018128865.tif 000002
【特許請求の範囲】
【請求項１】
表層材製品の特性を用いて、前記表層材製品の画像データを処理する処理部と、
前記処理部が処理した後の前記画像データを記憶する記憶部と、
を備える画像生成装置。
【請求項２】
請求項１に記載の画像生成装置において、
前記表層材製品の特性は、前記表層材製品の表面の色特性、凹凸特性、及び光の反射特性の少なくとも一つを含む画像生成装置。
【請求項３】
請求項２に記載の画像生成装置において、
前記表層材製品は、一面に印刷が施された下地、及び、前記下地の一面を覆う被覆層を含み、
前記表面の色特性は、前記下地の一面の色特性を含む画像生成装置。
【請求項４】
請求項２又は３に記載の画像生成装置において、
前記表層材製品は、一面に印刷が施された下地、及び、前記下地の一面を覆う被覆層を含み、
前記凹凸特性は、前記被覆層の表面の凹凸特性を含む画像生成装置。
【請求項５】
請求項２〜４のいずれかに記載の画像生成装置において、
前記表層材製品は、一面に印刷が行われた下地、及び、前記下地の一面を覆う被覆層を含み、
前記光の反射特性は、前記被覆層の表面における光の反射特性を含む画像生成装置。
【請求項６】
請求項１〜５のいずれかに記載の画像生成装置において、
前記処理部は、前記表層材製品に照射される光の特性を更に用いて、前記表層材製品の画像データを処理する画像生成装置。
【請求項７】
請求項６に記載の画像生成装置において、
前記光の特性は、前記光の色温度及び前記光の強度分布の少なくとも一つを含む画像生成装置。
【請求項８】
請求項１〜７のいずれかに記載の画像生成装置において、
前記処理部により処理された前記画像データを出力する出力部を備える画像生成装置。
【請求項９】
請求項８に記載の画像生成装置において、
前記出力部は、携帯型表示装置に前記画像データを出力して記憶させる画像生成装置。
【請求項１０】
請求項１〜９のいずれかに記載の画像生成装置において、
前記画像データをディスプレイに表示させる表示処理部を更に備える画像生成装置。
【請求項１１】
第１の色域に基づく複数の第１の画素値で表現されている、表層材製品の画像データを記憶する画像データ記憶部と、
前記画像データを読み出して処理する処理部と、
前記処理部によって処理された後の前記画像データをディスプレイに表示させる表示処理部と、
を備え、
前記処理部は、前記画像データを用いて前記ディスプレイに表示された前記表層材製品と、前記表層材製品の実物との見映えの差を少なくするための処理を実行する表示装置。
【請求項１２】
請求項１１に記載の表示装置において、
前記処理部は、前記複数の第１の画素値を前記ディスプレイで用いられる第２の色域に基づく第２の画素値に変換する処理を実行する表示装置。
【請求項１３】
請求項１１または１２に記載の表示装置において、
前記表層材製品には、印刷が行われており、
前記第１の色域は、前記印刷を行う印刷装置で用いられる色域である表示装置。
【請求項１４】
第１の色域に基づく複数の第１の画素値で表現されている、表層材製品の画像データを記憶する画像データ記憶部と、
前記画像データをディスプレイに表示させる表示処理部と、
を備え、
前記表層材製品には、印刷が行われており、
前記第１の色域は、前記印刷を行う印刷装置で用いられる色域であり、
前記ディスプレイで用いられる色域が前記第１の色域と同じ色域に設定されている表示装置。
【請求項１５】
表層材製品の画像データを記憶する画像データ記憶部と、
前記画像データをディスプレイに表示させる表示処理部と、
を備え、
前記画像データは、前記表層材製品の実物との見映えの差を少なくする処理を施されている表示装置。
【請求項１６】
請求項１５に記載の表示装置において、
前記画像データは、前記ディスプレイで用いられる色域とは異なる色域に基づく複数の第１の画素値を前記ディスプレイで用いられる色域に基づく第２の画素値に変換する処理が施されたデータである表示装置。
【請求項１７】
請求項１１〜１４のいずれかに記載の表示装置において、
前記表層材製品の特性を用いて、前記表層材製品の画像データを処理する処理部と、
前記処理部が処理した後の前記画像データを記憶する記憶部と、を更に備える表示装置。
【請求項１８】
請求項１７に記載の表示装置において、
前記表層材製品の特性は、前記表層材製品の表面の色特性、凹凸特性、及び光の反射特性の少なくとも一つを含む表示装置。
【請求項１９】
請求項１７又は１８に記載の表示装置において、
前記処理部は、前記表層材製品に照射される光の特性を更に用いて、前記表層材製品の画像データを処理する表示装置。
【請求項２０】
請求項１９に記載の表示装置において、
前記光の特性は、前記光の色温度及び前記光の強度分布の少なくとも一つを含む表示装置。
【請求項２１】
請求項１〜９のいずれか１項に記載の画像生成装置と、
請求項１１〜１６のいずれか１項に記載の表示装置と、
を備える画像表示システム。
【発明の詳細な説明】
【技術分野】
【０００１】
本発明は、内装や外装に用いられる表層材製品の選択を支援するための画像生成装置、表示装置、及び画像表示システムに関する。
【背景技術】
【０００２】
ユーザーがデザインの良し悪しを判断する材料として、内装や外装のシミュレーション結果をディスプレイに表示する技術が利用されている。例えば、下記非特許文献１乃至非特許文献４には、選択した化粧板（床材など）を、対象とする部屋や建造物の内装空間に適用した結果を表示する技術が開示されている。特に、非特許文献３では、２つの表示領域で異なるデザインを比較することを可能とする技術が開示されている。
【先行技術文献】
【非特許文献】
【０００３】
【非特許文献１】DAIKEN、“空間シミュレーション”、［online］、［平成２８年１０月５日検索］、インターネット＜URL：https://www.daiken.jp/interior/>
【非特許文献２】日立ビルシステム、“デザインシミュレーション”、［online］、［平成２８年１０月５日検索］、インターネット＜URL：http://www.hbs.co.jp/products/urban/em/elevator/standard/ua/design/simulation/index.html＞
【非特許文献３】YKKaP、“商品シミュレーション”、［online］、［平成２８年１１月１４日検索］、インターネット＜URL：https://www.ykkap.co.jp/products/interior_material/simulation/＞
【非特許文献４】TOPPAN、“３６０°空間シミュレータ” ［online］、［平成２８年１１月１４日検索］、インターネット＜URL：http://www.toppan.co.jp/solution/service/service_088.html＞
【発明の概要】
【発明が解決しようとする課題】
【０００４】
しかしながら、表層材を施工したときの実際のデザインが、シミュレーション画像を通じて顧客がイメージしたデザインと異なっていると、実際に施工した状態から受ける印象の違いに顧客が戸惑ってしまう。よって、シミュレーション画像を用いて表層材を比較および検討する際に、実際に施工した状態により近い状態を確認可能とする技術が望まれる。
【０００５】
本発明は上述の課題に鑑みてなされたものであり、その目的は、表層材製品のシミュレーション画像と実物との間の見映えの違いを抑制する技術を提供することにある。
【課題を解決するための手段】
【０００６】
本発明によれば、
表層材製品の特性を用いて、前記表層材製品の画像データを処理する処理部と、
前記処理部が処理した後の前記画像データを記憶する記憶部と、
を備える画像生成装置が提供される。
【０００７】
本発明によれば、
第１の色域に基づく複数の第１の画素値で表現されている、表層材製品の画像データを記憶する画像データ記憶部と、
前記画像データを読み出して処理する処理部と、
前記処理部によって処理された後の前記画像データをディスプレイに表示させる表示処理部と、
を備え、
前記処理部は、前記画像データを用いて前記ディスプレイに表示された前記表層材製品と、前記表層材製品の実物との見映えの差を少なくするための処理を実行する表示装置が提供される。
【０００８】
本発明によれば、
第１の色域に基づく複数の第１の画素値で表現されている、表層材製品の画像データを記憶する画像データ記憶部と、
前記画像データをディスプレイに表示させる表示処理部と、
を備え、
前記表層材製品には、印刷が行われており、
前記第１の色域は、前記印刷を行う印刷装置で用いられる色域であり、
前記ディスプレイで用いられる色域が前記第１の色域と同じ色域に設定されている表示装置が提供される。
【０００９】
本発明によれば、
表層材製品の画像データを記憶する画像データ記憶部と、
前記画像データをディスプレイに表示させる表示処理部と、
を備え、
前記画像データは、前記表層材製品の実物との見映えの差を少なくする処理を施されている表示装置が提供される。
【００１０】
本発明によれば、
上述の画像生成装置と、
上述の表示装置のいずれかと、
を備える画像表示システムが提供される。
【発明の効果】
【００１１】
本発明によれば、表層材製品のシミュレーション画像と実物との間の見映えの違いを抑制する技術を提供できる。
【図面の簡単な説明】
【００１２】
【図１】本発明に関連する業務の全体像を概略的に例示する図である。
【図２】第１実施形態の画像生成システムの構成を概念的に示すブロック図である。
【図３】処理部が実行する画像データに対する処理において使用される情報の一例を示す図である。
【図４】画像生成装置及び表示装置のハードウエア構成を例示する図である。
【図５】画像生成装置が表層材製品の画像データを処理し、表示装置に出力する流れを例示するシーケンス図である。
【図６】表示装置において表層材製品の画像を表示する流れを例示するフローチャートである。
【図７】第１実施形態の第１の変形例における画像生成システムの構成を概念的に示すブロック図である。
【図８】第１実施形態の第２の変形例における画像生成システムの構成を概念的に示すブロック図である。
【図９】第１実施形態の第２の変形例において、処理部が使用する情報の一例を示す図である。
【図１０】第２実施形態における表示装置の機能構成を概念的に示すブロック図である。
【発明を実施するための形態】
【００１３】
［概要説明］
本発明は、例えば、内装や外装のデコレーションなどに用いられる表層材製品の選択支援に活用できる。まず、本発明に関連する業務の全体像について図１を用いて説明する。図１は、本発明に関連する業務の全体像を概略的に例示する図である。
【００１４】
顧客は、多くの場合、表層材製品を実際に施工したときのイメージをつかむために、施工場所にその表層材製品を配置した状態を再現したシミュレーション画像を確認する。このようなシミュレーション画像は、端末２０上に表示される。端末２０は、例えば、企業の営業担当者或いは顧客自身が所有する端末である。そして、顧客は、シミュレーション画像を見て気に入った表層材製品を企業に注文する。
【００１５】
顧客からの注文は企業の製造現場に送られ、この注文に応じて表層材製品が製造される。表層材製品は、企業の製造現場に配置される印刷装置３０を用いて、概ね以下のような流れで製造される。
【００１６】
まず、印刷装置３０は、顧客の注文に対応する印刷要求を受け付ける。印刷要求には、表層材製品の模様（地色や柄など）の印刷パターンを定義する印刷データが含まれており、印刷装置３０は、印刷要求に含まれる印刷データを用いて、その印刷データにより定義される表層材製品の模様を印刷した印刷紙（以下、「下地」とも表記）を出力する。
【００１７】
次に、この下地に様々な加工が施されることによって、表層材製品が完成する。具体的には、注文された表層材製品の特性に合わせて、下地にコーティング材料などを含浸させたり、表面に凹凸を成形したりすることによって、表層材製品が完成する。なお、この加工処理において使用されるコーティング材料の種類、コーティング層の数や各層の厚さ、及び、表面に成形された凹凸などが、表層材製品の表面の光学的特性（例えば、吸収する光の波長や光の反射状態など）に影響を与える。特に吸収する光の波長が変わることによって、印刷装置３０から出力される下地と当該下地を加工処理して完成する表層材製品との間で、見映え（見た目の色、質感など）に違いが表れる。
【００１８】
また、上述のように製造された表層材製品は顧客が所望する施工場所に配置されることになる。このとき、施工場所の環境の特性（施工場所の形状、施工場所に存在する光源の特性など）、並びに、上述の表層材製品の表面における光の反射特性が、表層材製品の見映えに更に影響を与える。
【００１９】
ここで、端末２０上で表示された表層材製品の施工時のシミュレーション画像が、実際に施工された表層材製品の見映えを精度よく再現できていない場合、画像から受けたイメージとの違いに顧客が困惑し、結果として顧客満足度が低下してしまう虞がある。
【００２０】
以下の各実施形態において、このような問題を解消する本発明の構成について説明する。また、以下の各実施形態のすべての図面において、同様な構成要素には同様の符号を付し、適宜説明を省略する。また各ブロック図において、特に説明がない限り、各ブロックは、ハードウエア単位の構成ではなく機能単位の構成を表している。
【００２１】
［第１実施形態］
〔システム構成〕
図２は、第１実施形態の画像生成システム１の構成を概念的に示すブロック図である。図２に示されるように、本実施形態の画像生成システム１は、画像生成装置１０と表示装置４０とを含んで構成される。なお、図２では、画像生成装置１０および表示装置４０をそれぞれ１つずつ含む画像生成システム１が例示されているが、画像生成システム１における画像生成装置１０および表示装置４０の数は１つに制限されない。画像生成装置１０は、表層材製品のシミュレーション画像用のデータ（以下、「画像データ」とも表記）を生成する装置である。表示装置４０は、画像生成装置１０によって生成された画像データを用いて画面上にシミュレーション画像を表示する装置である。図１の端末２０は、表示装置４０の一例である。以下の実施形態では、図１の端末２０が表示装置４０であるケースを例示する。
【００２２】
＜画像生成装置１０の機能構成＞
図２に示されるように、本実施形態の画像生成装置１０は、表層材製品の特性を用いて、当該表層材製品の画像データを処理する処理部１１０と、処理部１１０により処理された後の画像データを記憶する画像データ記憶部１２０と、を有している。
【００２３】
処理部１１０により実行される処理は、処理後の画像データを基に画面上に再現される表層材製品の画像と表層材製品の実物との見映えの差を少なくする処理である。なお、処理部１１０は、処理後の画像データを用いて表示される表層材製品の画像と、表層材製品の実物との色差が３．０以下となるように、表層材製品の画像データに対して画像処理を施すように構成されていると好ましい。色差３．０は、例えば、ＪＩＳ（Japanese Industrial Standards）規格においてＡ級許容差の範囲（一般的には略同じ色と認識される範囲、色差１．６〜３．２）に属する。
【００２４】
処理部１１０は、具体的には、表層材製品の表面の色特性、凹凸特性、及び、光の反射特性の少なくとも１つを用いて、表層材製品の画像データを処理する。表層材製品の表面の色特性、凹凸特性、及び、光の反射特性は、それぞれ、表層材製品の実際の見映えに影響を与える。処理部１１０は、これらの特性をパラメータとして用いて表層材製品の画像データを処理することによって、表層材製品の実物の見映えを精度よく再現する画像データを生成可能とする。
【００２５】
ここで、図１を用いて説明したように、実際に製造される表層材製品は、少なくとも、下地と当該下地を覆う被覆層とを含んで構成される。下地は、印刷装置３０によって表層材製品のデザイン（色、図柄など）の印刷が施される面（以下、「印刷面」とも表記）を有する。被覆層は透明な素材（例えば、メラミン樹脂など）を用いて構成されており、下地の印刷面に印刷された表層材製品のデザインが当該被覆層を介して視認できるようになっている。そのため、表層材製品の表面の色特性には、表層材製品を構成する下地の印刷面の色特性が含まれる。また、表層材製品の表面の凹凸特性には、表層材製品の下地を覆う被覆層の表面の凹凸特性が含まれる。また、表層材製品の光の反射特性には、表層材製品の下地を覆う被覆層の表面における光の反射特性が含まれる。これらの特性は、試験的に測定することによって、表層材製品毎にパラメータ化することができる。
【００２６】
処理部１１０によって処理される表層材製品の画像データは、例えば、基準データ記憶部１１２などに予め用意される。処理部１１０は、例えば、表層材製品毎の特性を示すパラメータを入力として画像データの各画素に設定する値を導出する関数やテーブルなどを用いて、各表層材製品に対応する画像データを処理することができる。
【００２７】
なお図２の例において、基準データ記憶部１１２は、画像生成装置１０に備えられているが、図２の例に限らず、基準データ記憶部１１２は、画像生成装置１０と通信可能に接続された外部装置（図示せず）に備えられていてもよい。この場合、処理部１１０は、有線または無線ネットワークを介して外部装置と通信し、当該外部装置から処理対象の画像データを取得することができる。また、基準データ記憶部１１２は、例えば、ＵＳＢ（Universal Serial Bas）メモリといった記憶媒体に格納されていてもよい。この場合、基準データ記憶部１１２を格納する記憶媒体は画像生成装置１０の入力インタフェースを介して接続される。処理部１１０は、入力インタフェースを介して接続された記憶媒体にアクセスして、処理対象の画像データを取得することができる。
【００２８】
表層材製品の見映えは、表層材製品そのものの特性に加えて、表層材製品に照射される光の特性に影響を受ける。そこで、処理部１１０は、表層材製品に照射される光の特性を更に用いて、表層材製品の画像データを処理するように構成されていてもよい。光の特性は、光の色温度及び光の強度分布の少なくとも１つを含んでいる。処理部１１０は、表層材製品の特性と当該表層材製品に照射される光の特性に基づいて表層材製品の表面の状態をシミュレートすることによって、より実物に近い見映えの画像を生成することができる。
【００２９】
一例として、処理部１１０は、表層材製品の施工環境下に配置される照明の色温度、又は、施工環境下に入り込む自然光（朝、昼、夕といった時間帯別の太陽光）の色温度をパラメータとして用いて、表層材製品に照射される光をシミュレートすることができる。また、処理部１１０は、施工環境下に配置される照明の光の強度分布、又は、施工環境下に入り込む自然光の強度分布を表わすパラメータを用いて、表層材製品に照射される光をシミュレートすることができる。その他にも、処理部１１０は、季節や緯度が自然光に与える影響をパラメータ化して、表層材製品に照射される光のシミュレーションに使用することもできる。処理部１１０は、光に関する各パラメータに基づく光のシミュレーション結果を表層材製品の画像データの各画素値に反映する（画像データの各画素値を光のシミュレーション結果に応じて変化させる）ことによって、照明や自然光が表層材製品の表面に当たっている状態を再現した画像データを生成することができる。
【００３０】
また、図２に示されるように、本実施形態の画像生成装置１０は、出力部１３０を更に有している。出力部１３０は、処理部１１０により処理された画像データを、例えば表示装置４０といった外部の装置に出力する。出力部１３０は、例えば、ネットワークを介して接続される表示装置４０に、処理部１１０により処理された画像データを出力する。出力部１３０は、例えばタブレットＰＣやラップトップＰＣといった、携帯型の表示装置４０に画像データを出力することができる。表示装置４０は、出力部１３０から出力された画像データを所定の記憶手段（例えば、表示装置４０が有するストレージデバイスなど）に記憶させる。出力部１３０は、所謂プッシュ型の通信によって、表示装置４０に画像データを出力することができる。この場合、出力部１３０は、画像生成装置１０のメモリやストレージデバイス等に予め記憶された表示装置４０の宛先情報（例えば、ＩＰ（Internet Protocol）アドレスなど）を用いて、表示装置４０に対して画像データを送信することができる。
【００３１】
なお、図２に例示される構成に限らず、画像生成装置１０以外の他の装置（図示せず）が、出力部１３０を備えていてもよい。この場合、他の装置は、例えば表示装置４０などから受け付けた画像データの送信要求に応じて、画像生成装置１０の画像データ記憶部１２０にアクセスし、当該送信要求に対応する画像データを表示装置４０などに出力するように構成される。
【００３２】
また、図２に例示される構成に限らず、画像生成装置１０は、処理部１１０によって画像データを処理した後、処理された画像データを出力部１３０から表示装置４０などの外部装置に出力して記憶させるように構成されていてもよい。この場合、画像生成装置１０は、処理部１１０により処理された画像を記憶しておく画像データ記憶部１２０を備えていなくてもよい。
【００３３】
＜表示装置４０の機能構成＞
表示装置４０は、画像データ記憶部４１０、処理部４２０、及び表示処理部４３０を備える。表示装置４０は、例えば、プッシュ型通信或いはプル型通信によって、画像生成装置１０の処理部１１０によって処理された表層材製品の画像データを取得し、画像データ記憶部４１０に記憶する。表示装置４０は、初回の通信以降は、例えば画像データに付与された時刻情報などを用いて、画像生成装置１０によって新たに追加または更新された画像データのみを取得することができる。
【００３４】
表示装置４０は、画像データ記憶部４１０から読み出す表層材製品の画像データを特定するための検索条件（例えば、表層材製品の色、図柄、表面の加工状態、表層材製品に照射される光（人工光、自然光）の特性など）を受け付け、その検索条件に対応する画像データを画像データ記憶部４１０から読み出して、画面上に表示する。
【００３５】
ここで、画像生成装置１０から取得できる画像データの各画素値が、表示装置４０で使用されている色域とは異なる色域に基づいて設定されている場合もある。例えば、画像データの各画素値が「Ｊａｐａｎ  Ｃｏｌｏｒ  ２００１  Ｃｏａｔｅｄ」といった印刷装置３０が使用する色域（以下、「第１の色域」とも表記）に基づいて設定されている一方で、表示装置４０では「ｓＲＧＢ」といった第１の色域とは異なる色域（以下、「第２の色域」とも表記）が使用されている場合もある。この場合、表示装置４０が使用する色域に従って画像データの画素値を解釈すると、異なる配色の表層材製品（すなわち、実物と異なる見映えの表層材製品）が画面上に表示されてしまう。
【００３６】
そこで、本実施形態の処理部４２０は、画像データを用いて画面上に再現される表層材製品の画像と表層材製品の実物との見映えの差を少なくするように、画像データ記憶部４１０に記憶されている画像データを読み出して処理する。例えば、処理部４２０は、第１の色域に基づいて表現されている画像データの画素値（以下、「第１の画素値」とも表記）を、表示装置４０で用いられる第２の色域に基づく画素値（以下、「第２の画素値」とも表記）に変換する。処理部４２０は、例えば図３に示される情報を用いて、画像データ記憶部４１０から読み出した画像データの第１の画素値を第２の画素値に変換することができる。図３は、処理部４２０が実行する画像データに対する処理において使用される情報の一例を示す図である。図３では、第１の色域と第２の色域との組み合わせ別に変換関数を格納するテーブルが例示されている。例えば、第１の色域（印刷装置３０で使用される色域）が「Ｊａｐａｎ  Ｃｏｌｏｒ  ２００１  Ｃｏａｔｅｄ」であり、第２の色域（表示装置４０で使用されている色域）が「ｓＲＧＢ」である場合、処理部４２０は、図３のテーブルから変換関数Ｆ（ｘ）を呼び出して画像データを処理するように動作する。図３に示されるような情報は、例えば、表示装置４０のメモリやストレージデバイスに予め記憶されている。上述の処理部４２０による処理は、画像生成装置１０から取得した画像データを画像データ記憶部４１０に記憶する際に実行されてもよいし、表示対象の画像の検索条件の入力を受け付けたタイミングに応じて実行されてもよい。
【００３７】
表示処理部４３０は、処理部４２０によって処理された後の画像データを用いて、表層材製品の画像を表示装置４０のディスプレイに表示させる。
【００３８】
〔ハードウエア構成〕
画像生成装置１０及び表示装置４０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、図４を用いて、画像生成装置１０及び表示装置４０がハードウエアとソフトウエアとの組み合わせで実現される場合について、さらに説明する。図４は、画像生成装置１０及び表示装置４０のハードウエア構成を例示する図である。
【００３９】
＜画像生成装置１０のハードウエア構成＞
画像生成装置１０は、バス１０１、プロセッサ１０２、メモリ１０３、ストレージデバイス１０４、入出力インタフェース１０５、及びネットワークインタフェース１０６を有する。バス１０１は、プロセッサ１０２、メモリ１０３、ストレージデバイス１０４、入出力インタフェース１０５、及びネットワークインタフェース１０６が、相互にデータを送受信するためのデータ伝送路である。ただし、プロセッサ１０２などを互いに接続する方法は、バス接続に限定されない。プロセッサ１０２は、マイクロプロセッサなどを用いて実現される演算処理装置である。メモリ１０３は、ＲＡＭ（Random Access Memory）などを用いて実現されるメモリである。ストレージデバイス１０４は、ＲＯＭ（Read Only Memory）やフラッシュメモリなどを用いて実現されるストレージデバイスである。
【００４０】
入出力インタフェース１０５は、画像生成装置１０を入出力用デバイスと接続するためのインタフェースである。入出力インタフェース１０５には、例えば、マウス、キーボードなどの入力装置１０５１や、ＣＲＴ（Cathode Ray Tube）ディスプレイやＬＣＤ（Liquid Crystal Display）などのディスプレイ１０５２、これら入力装置１０５１とディスプレイ１０５２が一体化したタッチパネルなどが接続される。その他、入出力インタフェース１０５は、例えばＵＳＢ（Universal Serial Bas）ポートなど、図示しないポータブルデバイス（例えば、ＵＳＢメモリ、ポータブルＨＤＤなど）との通信用インタフェースを更に含んでいてもよい。
【００４１】
ネットワークインタフェース１０６は、画像生成装置１０を通信網に接続するためのインタフェースである。画像生成装置１０は、ネットワークインタフェース１０６を介して、表示装置４０やその他の外部装置と通信することができる。
【００４２】
ストレージデバイス１０４は、第１実施形態の画像生成装置１０の処理部１１０を実現するためのプログラムモジュールを記憶している。プロセッサ１０２は、このプログラムモジュールをメモリ１０３に読み出して実行することで、第１実施形態の画像生成装置１０の処理部１１０の機能を実現する。また、ストレージデバイス１０４は、基準データ記憶部１１２や画像データ記憶部１２０として用いることができる。
【００４３】
＜表示装置４０のハードウエア構成＞
表示装置４０は、バス４０１、プロセッサ４０２、メモリ４０３、ストレージデバイス４０４、入出力インタフェース４０５、及びネットワークインタフェース４０６を有する。バス４０１は、プロセッサ４０２、メモリ４０３、ストレージデバイス４０４、入出力インタフェース４０５、及びネットワークインタフェース４０６が、相互にデータを送受信するためのデータ伝送路である。ただし、プロセッサ４０２などを互いに接続する方法は、バス接続に限定されない。プロセッサ４０２は、マイクロプロセッサなどを用いて実現される演算処理装置である。メモリ４０３は、ＲＡＭ（Random Access Memory）などを用いて実現されるメモリである。ストレージデバイス４０４は、ＲＯＭ（Read Only Memory）やフラッシュメモリなどを用いて実現されるストレージデバイスである。
【００４４】
入出力インタフェース４０５は、表示装置４０を入出力用デバイスと接続するためのインタフェースである。入出力インタフェース４０５には、例えば、マウス、キーボードなどの入力装置４０５１や、ＣＲＴ（Cathode Ray Tube）ディスプレイやＬＣＤ（Liquid Crystal Display）などのディスプレイ４０５２、これら入力装置４０５１とディスプレイ４０５２が一体化したタッチパネルなどが接続される。その他、入出力インタフェース４０５は、例えばＵＳＢ（Universal Serial Bas）ポートなど、図示しないポータブルデバイス（例えば、ＵＳＢメモリ、ポータブルＨＤＤなど）との通信用インタフェースを更に含んでいてもよい。
【００４５】
ネットワークインタフェース４０６は、表示装置４０を通信網に接続するためのインタフェースである。表示装置４０は、ネットワークインタフェース４０６を介して、画像生成装置１０やその他の外部装置と通信することができる。
【００４６】
ストレージデバイス４０４は、第１実施形態の表示装置４０の処理部４２０および表示処理部４３０を実現するためのプログラムモジュールを記憶している。プロセッサ４０２は、このプログラムモジュールをメモリ４０３に読み出して実行することで、第１実施形態の表示装置４０の処理部４２０および表示処理部４３０の機能を実現する。また、ストレージデバイス４０４は、画像生成装置１０によって生成された画像データを記憶する画像データ記憶部４１０として用いることができる。
【００４７】
〔動作例〕
図５および図６を用いて、第１実施形態における処理の流れを説明する。図５は、画像生成装置１０が表層材製品の画像データを処理し、表示装置４０に出力する流れを例示するシーケンス図である。図６は、表示装置４０において表層材製品の画像を表示する流れを例示するフローチャートである。
【００４８】
＜表層材製品の画像データの処理〜出力＞
まず、図５を用いて、画像生成装置１０が表層材製品の画像データを処理し、表示装置４０に出力する流れについて説明する。
【００４９】
処理部１１０は、処理対象とする表層材製品の画像データを基準データ記憶部１１２から読み出す（Ｓ１０２）。処理対象となる画像データは、例えば、画像生成装置１０のオペレータの操作によって指定される。
【００５０】
そして、処理部１１０は、基準データ記憶部１１２から読み出された表層材製品の画像データを、その画像データに対応する表層材製品の特性を示すパラメータや、表層材製品に照射される光の特性を示すパラメータを用いて処理する（Ｓ１０４）。表層材製品の特性を示すパラメータは、表層材製品の下地の色特性のパラメータ、表層材製品の表面の凹凸特性のパラメータ、及び、表層材製品の表面における光の反射特性のパラメータの少なくとも１つを含む。また、表層材製品に照射される光の特性を示すパラメータは、光の色温度を示すパラメータおよび光の強度分布を示すパラメータの少なくとも１つを含む。これらの表層材製品の特性を示すパラメータおよび表層材製品に照射される光の特性を示すパラメータは、例えばメモリ１０３やストレージデバイス１０４等に予め記憶されている。
【００５１】
処理部１１０は、Ｓ１０４において処理した画像データを、画像データ記憶部１２０に記憶する（Ｓ１０６）。出力部１３０は、例えば、表示装置４０からのデータ送信要求を受信したタイミングや、予め決められた送信タイミングに応じて、画像データ記憶部１２０に記憶した画像データを表示装置４０に出力する（Ｓ１０８）。なお、図中点線の矢印で示すように、処理部１１０は、Ｓ１０６の処理をスキップして、処理後の画像データを出力部１３０に渡してもよい。この場合、出力部１３０は、処理部１１０から渡された処理後の画像データを表示装置４０に出力する。
【００５２】
表示装置４０は、画像生成装置１０から出力された画像データを、画像データ記憶部４１０に記憶する（Ｓ１１０）。表示装置４０は、画像データ記憶部４１０から画像データを読み出して、表層材製品の画像を表示することが可能となる。
【００５３】
＜表層材製品の画像の表示＞
次に、図６を用いて、表示装置４０において表層材製品の画像を表示する流れについて説明する。
【００５４】
表示装置４０は、画像データ記憶部４１０から読み出す表層材製品の画像データを特定するための検索条件（例えば、表層材製品の色、図柄、表面の加工状態、表層材製品に照射される光（人工光、自然光）の特性など）を受け付ける（Ｓ２０２）。表示装置４０は、例えば、キーボード、マウス、タッチパネルなどの入力装置４０５１を介して検索条件の入力操作を受け付けると、当該検索条件を処理部４２０に送る。
【００５５】
処理部４２０は、検索条件に合致する画像データを画像データ記憶部４１０から読み出して、その画像データを用いて画面上に再現される表層材製品の画像と表層材製品の実物との見映えの差を少なくするような処理を実行する（Ｓ２０４）。例えば、処理部４２０は、印刷装置３０で使用されている「Ｊａｐａｎ  Ｃｏｌｏｒ  ２００１  Ｃｏａｔｅａｄ」に基づいて設定されている画像データの画素値を、表示装置４０で使用されている「ｓＲＧＢ」に基づく画素値に変換する処理を実行する。そして、表示処理部４３０は、処理部４２０により処理された画像データを用いて、表示装置４０の画面上に表層材製品の画像を表示させる（Ｓ４０６）。
【００５６】
なお、Ｓ２０４の処理は、画像生成装置１０から取得した画像データを画像データ記憶部４１０に記憶するタイミング（図５のＳ１１０）で予め実行されていてもよい。この場合、図中点線の矢印で示されるように、Ｓ２０４の処理は実行されなくてもよい。この場合、表示装置４０は、入力された検索条件を表示処理部４３０に渡し、表示処理部４３０は当該検索条件に合致する画像データを画像データ記憶部４１０から読み出す。そして、表示処理部４３０は、読み出した画像データを用いて、表示装置４０の画面上に表層材製品の画像を表示させる。
【００５７】
以上、本実施形態では、表層材製品の特性（例えば、表面の色特性、表面の凹凸特性、表面の反射特性）に基づいて、表層材製品の画像を表示させるための画像データが処理される。また、本実施形態では、表層材製品に照射される光の特性に基づいて、画像データが更に処理される。これにより、本実施形態によれば、表層材製品の実物の見映えをより精度よく表現する画像データを準備することができる。
【００５８】
また、本実施形態では、画像データを用いて表層材製品の画像を画面に表示する際、その画像データの各画素値が表示装置４０のディスプレイで使用される色域の画素値に変換される。これにより、本実施形態によれば、画像生成装置１０の処理部１１０によって処理された画像データが本来意図する色を、表示装置４０のディスプレイ上で正確に表現することができる。
【００５９】
〔第１の変形例〕
図７は、第１実施形態の第１の変形例における画像生成システム１の構成を概念的に示すブロック図である。本変形例において、表示装置４０は処理部４２０を備えていない。その代わりに、表示装置４０のディスプレイで用いられる色域は、表層材製品の下地にデザインの印刷を行う印刷装置３０で用いられる色域と同じ色域に設定されている。即ち、本変形例の構成では、印刷装置３０と表示装置４０との間で色域が統一されている。そのため、本変形例によれば、表示装置４０で使用されている色域に合わせて画像データの画素値を変換しなくとも、画像生成装置１０の処理部１１０によって処理された画像データが本来意図する色を、表示装置４０のディスプレイ上で表現することが可能となる。
【００６０】
〔第２の変形例〕
図８は、第１実施形態の第２の変形例における画像生成システム１の構成を概念的に示すブロック図である。本変形例において、表示装置４０は処理部４２０を備えていない。その代わりに、画像生成装置１０が、上述の表示装置４０の処理部４２０と同等の処理を実行する処理部１１５を更に有する。つまり、表示装置４０は、画像生成装置１０によって表層材製品の実物との見映えが少なくなるような処理が施された画像データを取得し、その画像データをディスプレイに表示させる構成を有する。
【００６１】
具体的には、本変形例の処理部１１５は、表層材製品の画像データに対する処理として、印刷装置３０で用いられる第１の色域に基づく画素値を、各表示装置４０で使用される色域（第２の色域）に基づく画素値に変換する処理を施す。処理部１１５は、例えば、図９に示すような情報を用いて、当該処理を実行することができる。
【００６２】
図９は、第１実施形態の第２の変形例において、処理部１１５が使用する情報の一例を示す図である。図９には、表示装置４０それぞれの識別情報と共に、その表示装置４０で使用される色域を示す情報が格納されているテーブルが例示されている。図９に示されるような情報は、例えば、表示装置４０のメモリ４０３やストレージデバイス４０４に予め記憶されている。
【００６３】
処理部１１５は、図３に示すようなテーブルと、図９に示すようなテーブルを利用して、画像データの各画素値を、各表示装置４０で用いられている色域に基づく画素値に変更する。印刷装置３０で用いられる色域が「Ｊａｐａｎ  Ｃｏｌｏｒ  ２００１  Ｃｏａｔｅｄ」である場合において、処理部１１５は、ｓＲＧＢに基づく画素値に変換した画像データを、表示装置Ａ用の画像データとして生成することができる。また、処理部１１５は、Ａｄｏｂｅ  ＲＧＢ（登録商標）に基づく画素値に変換した画像データを、表示装置Ｂ用の画像データとして生成することができる。また、図９に示すように、表示装置の個体別のキャリブレーション情報（例えば「赤色が強く出る」など）がある場合、処理部１１５は、当該キャリブレーション情報を用いて画像データに設定する各画素値を調整することもできる。
【００６４】
このような構成によっても、画像データが本来意図する色を、表示装置４０のディスプレイ上で表現することが可能となる。
【００６５】
［第２実施形態］
本実施形態は、第１実施形態の画像生成装置１０の処理部１１０を表示装置４０が更に備えている点で、第１実施形態と異なっている。本実施形態で説明する装置は、第１実施形態で説明した、処理部１１０、画像データ記憶部１２０、処理部４２０、及び、表示処理部４３０を備える画像生成装置と呼ぶこともできる。
【００６６】
〔機能構成〕
図１０は、第２実施形態における表示装置４０の機能構成を概念的に示すブロック図である。図１０に示すように、表示装置４０は、処理部１１０（以下、「第１の処理部」とも表記）、画像データ記憶部４１０、処理部４２０（以下、「第２の処理部」とも表記）、及び、表示処理部４３０を有している。
【００６７】
第１の処理部１１０は、第１実施形態で説明したように、表層材製品の特性や表層材製品に照射される光の特性を用いて、表層材製品の画像データを処理する。第１の処理部１１０で処理する画像データは、第１実施形態と同様に、基準データ記憶部１１２に記憶されている。また、表層材製品の特性は、表層材製品の表面の色特性、凹凸特性、及び光の反射特性の少なくとも１つを含む。また、表層材製品に照射される光の特性は、光の色温度および光の強度分布の少なくとも１つを含む。第１の処理部１１０によって処理された画像データは、画像データ記憶部４１０に記憶される。本実施形態の画像データ記憶部４１０は、第１実施形態で説明した画像データ記憶部１２０と同様の役割を果たす。第２の処理部４２０は、第１実施形態で説明したように、表示装置４０のディスプレイで用いる色域に合わせて、表層材製品の画像データの画素値を変換する処理を施す。表示処理部４３０は、第１の処理部１１０および第２の処理部４２０で処理された画像データを用いて、画面上に表層材製品の画像を表示させる。
【００６８】
以上、本実施形態は、第１実施形態で別々の装置で実行されていた処理が１つの装置によって実行される点を除き、第１実施形態と同様である。本実施形態によっても、第１実施形態と同様の効果を得ることができる。
【００６９】
〔変形例〕
本実施形態において、例えば印刷装置３０と表示装置４０との間で色域が統一されている場合、表示装置４０は第２の処理部４２０を備えていなくてもよい。この場合における表示装置４０は、第１実施形態で説明した、第１の処理部１１０、画像データ記憶部１２０、及び、表示処理部４３０を備える画像生成装置と呼ぶこともできる。このような構成によっても、第１実施形態と同様の効果を得ることができる。
【００７０】
以上、図面を参照して本発明の実施形態について述べたが、これらは本発明の例示であり、上記以外の様々な構成を採用することもできる。
【００７１】
以下、参考形態の例を付記する。
１．
表層材製品の画像データを処理する処理部と、
前記処理部によって処理された後の前記画像データを記憶する記憶部と、
を備え、
前記処理部は、前記画像データを用いて画面に表示された前記表層材製品と、前記表層材製品の実物との見映えの差を少なくするように、前記画像データを処理する画像生成装置。
２．
表層材製品の画像データを処理する処理部と、
前記処理部によって処理された後の前記画像データを記憶する記憶部と、
を備え、
前記処理部は、前記画像データを処理して、前記画面に表示された前記表層材製品と前記表層材製品の実物との色差が３．０以下となる前記画像データを生成する画像生成装置。
３．
１．又は２．に記載の画像生成装置において、
前記処理部は、前記表層材製品の表面の色特性、凹凸特性、及び光の反射特性の少なくとも一つを用いて、前記処理を行う画像生成装置。
４．
３．に記載の画像生成装置において、
前記表層材製品は、一面に印刷が施された下地、及び、前記下地の一面を覆う被覆層を含み、
前記表面の色特性は、前記下地の一面の色特性を含む画像生成装置。
５．
３．又は４．に記載の画像生成装置において、
前記表層材製品は、一面に印刷が施された下地、及び、前記下地の一面を覆う被覆層を含み、
前記凹凸特性は、前記被覆層の表面の凹凸特性を含む画像生成装置。
６．
３．〜５．のいずれかに記載の画像生成装置において、
前記表層材製品は、一面に印刷が行われた下地、及び、前記下地の一面を覆う被覆層を含み、
前記光の反射特性は、前記被覆層の表面における光の反射特性を含む画像生成装置。
７．
１．〜６．のいずれかに記載の画像生成装置において、
前記処理部は、前記表層材製品に照射される光の特性を用いて、前記処理を行う画像生成装置。
８．
７．に記載の画像生成装置において、
前記処理部は、前記表層材製品に照射される光の色温度及び強度分布の少なくとも一つを用いて、前記処理を行う画像生成装置。
９．
１．〜８．のいずれかに記載の画像生成装置において、
前記記憶部に記憶されている前記画像データを出力する出力部を備える画像生成装置。
１０．
１．〜９．のいずれかに記載の画像生成装置において、
前記出力部は、携帯型表示装置に前記画像データを出力して記憶させる画像生成装置。
１１．
１．〜１０．のいずれかに記載の画像生成装置において、
前記画像データをディスプレイに表示させる表示処理部を更に備える画像生成装置。
１２．
表層材製品の特性を用いて、前記表層材製品の画像データを生成する画像データ生成部と、
前記画像データを出力する出力部と、
を備える画像生成装置。
１３．
コンピュータによって実行される画像生成方法であって、
表層材製品の画像データを処理する処理ステップと、
前記処理部によって処理された後の前記画像データを記憶する記憶ステップと、
を有し、
前記処理ステップは、前記画像データを用いて画面に表示された前記表層材製品と、前記表層材製品の実物との見映えの差を少なくするように、前記画像データを処理することを含む、画像生成方法。
１４．
コンピュータによって実行される画像生成方法であって、
表層材製品の画像データを処理する処理ステップと、
前記処理部によって処理された後の前記画像データを記憶する記憶ステップと、
を有し、
前記処理ステップは、前記画像データを処理して、前記画面に表示された前記表層材製品と前記表層材製品の実物との色差が３．０以下となる前記画像データを生成することを含む、画像生成方法。
１５．
コンピュータを、
表層材製品の画像データを処理する処理手段、及び、
前記処理部によって処理された後の前記画像データを記憶する記憶手段、
として機能させるためのプログラムであって、
前記処理手段は、前記画像データを用いて画面に表示された前記表層材製品と、前記表層材製品の実物との見映えの差を少なくするように、前記画像データを処理する、
プログラム。
１６．
コンピュータを、
表層材製品の画像データを処理する処理手段、及び、
前記処理部によって処理された後の前記画像データを記憶する記憶手段、
として機能させるためのプログラムであって、
前記処理手段は、前記画像データを処理して、前記画面に表示された前記表層材製品と前記表層材製品の実物との色差が３．０以下となる前記画像データを生成する、
プログラム。
【符号の説明】
【００７２】
１  画像生成システム
１０  画像生成装置
１０１  バス
１０２  プロセッサ
１０３  メモリ
１０４  ストレージデバイス
１０５  入出力インタフェース
１０５１  入力装置
１０５２  ディスプレイ
１０６  ネットワークインタフェース
１１０  処理部
１１２  基準データ記憶部
１１５  処理部
１２０  画像データ記憶部
１３０  出力部
２０  端末
３０  印刷装置
４０  表示装置
４０１  バス
４０２  プロセッサ
４０３  メモリ
４０４  ストレージデバイス
４０５  入出力インタフェース
４０５１  入力装置
４０５２  ディスプレイ
４０６  ネットワークインタフェース
４１０  画像データ記憶部
４２０  処理部
４３０  表示処理部
【図１】
2018128865.tif 000003
【図２】
2018128865.tif 000004
【図３】
2018128865.tif 000005
【図４】
2018128865.tif 000006
【図５】
2018128865.tif 000007
【図６】
2018128865.tif 000008
【図７】
2018128865.tif 000009
【図８】
2018128865.tif 000010
【図９】
2018128865.tif 000011
【図１０】
2018128865.tif 000012